(57)【特許請求の範囲】
【請求項１】
左右１対の支柱の下部を、下部横梁部材により結合してフレーム本体を構成し、このフレーム本体の各支柱の下部に、前後方向を向く脚部材を連結してなる組立式陳列什器におけるフレーム連結構造において、
前記各支柱の下部に、その互いに対向する内側面から下方へ延出し、かつ上縁が前記下部横梁部材の下面に当接する板状部材を固着し、かつこの板状部材と、これに対応する前記脚部材との当接面の適所に形成した、少なくとも１組の凹部と凸部の嵌合による位置決め手段により、位置決めして配置された前記脚部材を、前記フレーム本体に固定手段により固定したことを特徴とする組立式陳列什器におけるフレーム連結構造。
【請求項２】
板状部材が、下部横梁部材を下方から包囲して、これに固着させたものである、請求項１記載の組立式陳列什器におけるフレーム連結構造。
【請求項３】
固定手段が、支柱下端部に形成されためねじ部と、このめねじ部に脚部材の下面より挿通螺合した固定ボルトとよりなる、請求項１または２記載の組立式陳列什器におけるフレーム連結構造。
【請求項４】
固定手段が、支柱に固着された板状部材と脚部材の内側面とを結合するねじよりなる、請求項１または２記載の組立式陳列重機におけるフレーム連結構造。
【発明の詳細な説明】
【０００１】
【発明の属する技術分野】
本発明は、組立式の商品陳列棚のような組立式陳列什器のフレーム連結構造に関する。
【０００２】
【従来の技術】
組立費用をかけないように、商品陳列棚等のフレーム構造すべてを一体型として溶接したものがある。
【０００３】
【発明が解決しようとする課題】
しかし、このような一体型のフレーム構造は、運搬時等にスペース的な無駄が多く、労力と費用がかかることとなる。
【０００４】
本発明は、組立式とすることにより、運搬効率の向上を図るとともに、従来製品より、組立も簡単に行えるようにした、商品陳列棚のような陳列什器のフレーム連結構造を提供することを目的としている。
【０００５】
【課題を解決するための手段】
本発明によると、上記課題は、次のようにして解決される。
(１) 左右１対の支柱の下部を、下部横梁部材により結合してフレーム本体を構成し、このフレーム本体の各支柱の下部に、前後方向を向く脚部材を連結してなる組立式陳列什器におけるフレーム連結構造において、前記各支柱の下部に、その互いに対向する内側面から下方へ延出し、かつ上縁が前記下部横梁部材の下面に当接する板状部材を固着し、かつこの板状部材と、これに対応する前記脚部材との当接面の適所に形成した、少なくとも１組の凹部と凸部の嵌合による位置決め手段により、位置決めして配置された前記脚部材を、前記フレーム本体に固定手段により固定する。
【０００６】
(２) 上記(１)項において、板状部材が、下部横梁部材を下方から包囲して、これに固着させたものとする。
【０００７】
(３) 上記(１)または(２)項において、固定手段が、支柱下端部に形成されためねじ部と、このめねじ部に脚部材の下面より挿通螺合した固定ボルトとよりなるものとする。
【０００８】
（４）上記(１)または(２)項において、固定手段が、支柱に固着された板状部材と脚部材の内側面とを結合するねじよりなるものとする。
【０００９】
【発明の実施の形態】
図１は、本発明による組立式陳列什器のフレーム構造の一実施形態を、一部破断して示す斜視図である。
【００１０】
図２には、図１に示したフレーム構造のうち、前面に棚受け用のスリット孔(１)を上下方向に列設した鋼製の中空の左右１対の支柱(２)(２)と、その下端部同士を連結する鋼製中空の下部横梁部材(３)と、その上端同士を連結する上部連結部材(４)とからなるフレーム本体(５)が示されている。
【００１１】
左右の支柱(２)(２)の互いに対向する内側面の下端部には、図３に示す板状部材(６)が溶接されている。
【００１２】
図３は、図２の右側の板状部材(６)を示しており、この板状部材(６)には、その上縁部に下部横梁部材(３)の下部を包囲する凹部が設けられ、その上縁(6a)が下部横梁部材(３)の下面に当接し、下部が支柱(２)の下端から延出するようにして、下部横梁部材(３)及び支柱(２)に、溶接により固着されている。
【００１３】
また、板状部材(６)の下部には、前後２つの凸部(７)すなわち突起が、外側すなわち支柱側に突設されている。これらの突起(７)は、ハーフパンチングにより形成するのがよい。図４には、この板状部材(６)の溶接状況、及びハーフパンチングにより形成された突起(７)が、部分拡大断面として示されている。
【００１４】
図５は、図２に示すフレーム本体(５)に、組立現場において取り付ける脚部材(８)を示す。脚部材(８)の両端部の下面に、キャスター(９)が取り付けられており、その中央の上下面には、丸孔(10)が穿設されている。また、前記の板状部材(６)の突起(７)に対応する位置には、対応する大きさの凹部(11)すなわち孔、または凹みが形成されている。
【００１５】
現場における組立は、梱包されて輸送されてきたフレーム本体(５)及び脚部材(８)を取り出し、フレム本体(５)の板状部材(６)の突起(７)を、脚部材(８)の孔(11)に嵌合させて、両者の位置決めを行う。
【００１６】
次いで、図６に示す固定ボルト(12)を、脚部材(８)の中央の丸孔(10)に挿入し、支柱(２)の下端部の内部に挿入した下部横梁部材(３)の下面内部に溶接したナット(13)に螺合して緊結する。
このようにして、図１に示すフレーム連結構造が形成される。
【００１７】
図７に示す変形例においては、脚部材(８)を下方から固定ボルト(12)により支柱(２)に固定する代わりに、支柱(２)に固着された板状部材(６)を、内方からねじ(14)により脚部材(８)に固定している。また、この変形例においては、板状部材(６)の上部には凹部が形成されていないが、その上縁は、下部横梁部材(３)の下面に当接している。
【００１８】
【発明の効果】
本発明によれば、次のような効果を奏する。
請求項１記載の発明によれば、脚部材が、容易に支柱に対して位置決めされ、取り付け後も、ぶれたり、ガタが生じたりすることはなく、また運搬費用を安くするこることができ、かつ現場における組立も簡単容易である。
【００１９】
請求項２記載の発明によれば、板状部材を強固に支柱及び下部横梁部材に固着させることができる。
【００２０】
請求項３記載の発明によれば、脚部材を支柱に強固確実に固定することができる。
【００２１】
請求項４記載の発明によれば、床面に脚部材を配置し、その上にフレーム本体を立設した状態のままで、フレーム本体を脚部材に固定することができる。
【図面の簡単な説明】
【図１】本発明による組立式陳列什器のフレーム連結構造の一実施形態を一部破断して示す斜視図である。
【図２】同じく、フレーム本体の斜視図である。
【図３】同じく、板状部材の拡大斜視図である。
【図４】同じく、板状部材の詳細を示す部分拡大縦断面図である。
【図５】同じく、脚部材の拡大斜視図である。
【図６】同じく、連結部分の詳細を示す部分拡大縦断面図である。
【図７】本発明のフレーム連結構造の変形例を示す斜視図である。
【符号の説明】
(１)スリット孔
(２)支柱
(３)下部横梁部材
(４)上部連結部材
(５)フレーム本体
(６)板状部材
(6a)上縁
(７)凸部(突起)
(８)脚部材
(９)キャスター
(10)丸孔
(11)凹部(孔または凹み)
(12)固定ボルト(固定手段)
(13)ナット(めねじ部)
(14)ねじ
【図１】
0004518606.tif 000002
【図２】
0004518606.tif 000003
【図３】
0004518606.tif 000004
【図４】
0004518606.tif 000005
【図５】
0004518606.tif 000006
【図６】
0004518606.tif 000007
【図７】
0004518606.tif 000008